(57)【要約】【課題】箱体の捕獲ケースの最終処理である開口両端部を、簡単な自動装置として容易に不良品の発生を抑えて能率よく出来るようにする。【解決手段】長溝を穿設した台板２上に受台３を長溝が両側となるよう設け、受止材５を受台３両側に、又受材６を長溝側両端に突出するよう設けてなるケース設置手段と、台板１上を案内体にてスライド可能とした移動板上に、抑板の抑部１４ａをスライド方向に向けて突出させ移動板中央に抑板を設け、対応する二個の抑板内側に先端を揺動可能とした折曲体１５を移動板上に対応させて設けると共に、遊動するコイルスプリング２０にて対応する折曲体１５を常に内側に引っ張るよう設け、抑体１９を折曲体１５内側の移動板上に固定設置ししてなるケース折曲手段と、揺動板２５・２８・連結板３０によるクランク機構にて対向設置するケース折曲手段の同時内側への作動を可能としたスライド手段との組合せとしたものである。【選択図】　　　　図１
2004042592.tif 000002
【特許請求の範囲】
【請求項１】
長溝を穿設した台板上に受台を長溝が両側となるよう設け、受止材を受台両側に、又受材を長溝側両端に突出するよう設けてなるケース設置手段と、台板上を案内体にてスライド可能とした移動板上に、抑板の抑部をスライド方向に向けて突出させ移動板中央に抑板を設け、対応する二個の案内体内側に先端を揺動可能とした折曲体を移動板上に先端を略抑部先端と同じ位置となるよう対応させて設けると共に、コイルスプリングにて対応する折曲体を遊動にて常に内側に引っ張るよう設け、抑体を折曲体内側の移動板上に先端を折曲体の折曲部の先端より内側となるよう固定設置ししてなるケース折曲手段と、揺動板連結板によるクランク機構にて対向設置するケース折曲手段の同時内側への作動を可能としたスライド手段との組合せとしたことを特徴とする這走虫捕獲ケース成形装置。
【請求項２】
折曲体として、先端を一方に傾斜させた傾斜面を設けて鋭角の鈎状とした折曲部と本体とからなり、傾斜面の先端線を折り曲げの傾斜に合わせて鋭角となるよう傾斜させ、先端線の上端と傾斜面の元端線の下端を結ぶ屈曲線より折り曲げて先端線の下端に向けて作用面を設け折曲部先端を形成し、傾斜面を内側に向けて設けるようにした請求項１記載の這走虫捕獲ケース成形装置。
【請求項３】
抑体として、先端部を傾斜させて抑面とし、抑面を内側に向けて設けるようにした請求項１記載の這走虫捕獲ケース成形装置。
【発明の詳細な説明】
【０００１】
【発明の属する技術分野】
本発明は這走虫を捕獲する角筒形の箱体からなるケースの開口部の成形を一度に行なうことが出来るようにした這走虫捕獲ケース最終成形装置に関するものである。
【０００２】
【従来の技術】
人家内に定住し夜間に活動して汚物を好むゴキブリ等は、衛生害虫として種々な駆除対策が行われている。
駆除対策としては、剥離紙付の粘着剤を塗布した捕獲具の設置・駆除剤をスプレーで散布する噴霧器・駆除剤を固めて食べるようにしたもの・発振具を設けて忌避するようにしたものなどが研究開発されて来ている。
その中でも一般に多く使用されるものは、剥離紙を使って粘着剤を塗布した捕獲面を有する捕獲具であり、捕獲面が平面的なものから組立式で筒形のハウス形とした捕獲具がある。　その内のハウス形の捕獲具は、捕獲前後の処理が容易なため比較的多く用いられている。
【０００３】
【発明が解決しようとする課題】
このように多く用いられている組立式のハウス形捕獲具を使用するには、組立の手順に従って行なうが、その手順通りに行なっても、剥離紙を剥がすのがスムーズに出来ずに一部を残してしまったり、誘引剤などを置く時に手が粘着剤に触れたり或は本体の組立のための折り曲げが記載通りに出来ず本体の一部を粘着剤に付着させてしまったりして思うように組立が出来ず、使用しないまま捨ててしまうことが多い。
そのうえ特に女性では、化粧後に手や指が化粧部分に触つているのを知らないでそのまま捕獲具の組立をすることもあり、そのため誘引剤の匂いを手に付いた化粧品の匂いで消してしまって誘引効果を失ったまま使用してしまうこともある。
【０００４】
このような個人差によっての組立の失敗等による不使用のロスを無くし、購入後組立ないでそのまま置くだけで良い断面が長方形の箱形の捕獲具が考えられてきた。
そしてこの箱形の捕獲具の場合は、置く前に剥離紙を剥がしたり誘引剤を置くことは出来ないため、剥離紙を無くし粘着剤及び誘引剤をあらかじめ設けたものが考えられてきている。
このように箱形の捕獲具は剥離紙を無くしても箱形のため購入者は粘着剤や誘引剤に触れる心配は無くなったが、箱形が筒体のため上板と下板が折れて重なり易く立体を保ちにくい欠点があったので、両端の開口部に立体を保つように、側面両端に折り曲げが斜めとなる掛板を又底板両端に折曲板を設け、折曲板両端と掛板が引っ掛かるようにして補強し、立体を保つようにしている。
【０００５】
ところが折曲板を折り曲げ掛板を折り曲げて折曲板に引っ掛けるための作業を手作業で行なっているが、掛板の折り曲げが斜めとなっているのと折曲板を折り曲げてから掛板を折り曲げて折曲板に引っ掛けるのが一見簡単なように見えるが案外技術を必要とし、個人差によって作業速度にも又出来具合にもバラツキがあり、更に不良品の発生率も高く時間もかかり能率が悪いなど箱体の捕獲具製造上非常に不都合を感じていた。
【０００６】
【課題を解決するための手段】
本発明はこのような不都合を解消するもので、
長溝を穿設した台板上に受台を長溝が両側となるよう設け、受止材を受台両側に、又受材を長溝側両端に突出するよう設けてなるケース設置手段と、
台板上を案内体にてスライド可能とした移動板上に、抑板の抑部をスライド方向に向けて突出させ移動板中央に抑板を設け、対応する二個の抑板内側に先端を揺動可能とした折曲体を移動板上に先端を略抑部先端と同じ位置となるよう対応させて設けると共に、コイルスプリングにて対応する折曲体を遊動にて常に内側に引っ張るよう設け、抑体を折曲体内側の移動板上に先端を折曲体の折曲部の先端より内側となるよう固定設置ししてなるケース折曲手段と、
揺動板連結板によるクランク機構にて対向設置するケース折曲手段の同時内側への作動を可能としたスライド手段との組合せとしたものである。
【０００７】
更に折曲体として、先端を一方に傾斜させた傾斜面を設けて鋭角の鈎状とした折曲部と本体とからなり、傾斜面の先端線を未完成ケース側板両端に設けた掛板の折曲線の傾斜に合わせて鋭角となるよう傾斜させ、先端線の上端と傾斜面の元端線の下端を結ぶ屈曲線より折り曲げて先端線の下端に向けて作用面を設け折曲部先端を形成し、傾斜面を内側に向けて設けるようにしたものである。
抑体として、先端部を曲部とし傾斜させて抑面とし、抑面を内側に向けて設けるようにしたものである。
【０００８】
【作用】
使用に当たっては、長細状の角筒としその底板両端に切欠部を設けた折曲板を、又側板両端に先端に引掛部を有する掛板を設け、剥離紙を用いないで粘着剤と誘引剤を底板上に既に設けている未完成ケースを、ケース設置手段の受台上に載置すると、折曲板が受材にて上方に押されて折り曲げられてセットが終るとスライド手段にて対向するケース折曲手段を同時に内側にスライドさせる。
すると、ケース折曲手段の移動板が案内体に沿ってスライドし、上部に設けた抑板・折曲体・抑体を一緒に内側に移動させる。
このように内側への移動が始まると、まず抑板の抑部にて折り曲げられている折曲板を未完成ケース内に押して折り曲げていく。
【０００９】
それと同時に折曲体の折曲部傾斜面或は屈曲線がが引掛部の上部に当たり、順次当たりを上部より下部へ移行させて引掛部を内側へと傾斜面にて折り曲げていく。
そして掛板がある程度折り曲げられると傾斜面が折曲線に当たって押され、折曲体は取付具を支点として遊動するコイルスプリングに逆らって開くと共に、この折曲体が開く間に未完成ケースの折曲線と同じ傾斜となっている作用面が折曲線の上部より順次下部に当たりを移行しながら折曲線の折り曲げ状態の修正と仕上げをして折曲部が作用しない状態となる。　それでもまだスライド手段によって移動板は内側にスライドし、折曲板は抑部によって底板に重なる状態まで折り曲げられると共に、折曲体が作用しなくなった後は抑体の抑面が、折り曲げられている掛板を押して未完成ケースの側板裏面に重なるように折り曲げる。
【００１０】
このように未完成ケースの折曲板と掛板の折り曲げが終ると、スライド手段によって揺動板の揺動が逆になり、移動板・抑板・折曲体・抑え体・連結材全てが元の状態に戻り、折曲体は遊動するコイルスプリングによって引き戻されて始めの状態となる。
このようにして折り曲げが終って全てが元の位置に戻るとスライド手段は停止し、折り曲げた掛板の引掛部が折曲板の切欠部に引っ掛かり完成したケースとなり、受台上より取り除かれ次の未完成ケースがセットされる。
このようにケース設置手段に未完成ケースを設置するとケース折曲手段をスライド手段にて内側に同時に作動させ、未完成ケースの両端部の折り曲げを行なって完成したケースにすることが出来る。
【００１１】
この折り曲げに際して、抑曲体の先端折曲部の傾斜面と屈曲線及び作用面によって未完成ケースの側板両端の掛板の折り曲げを容易とし、ある程度折り曲げると揺動にて作用しなくなるため、この傾斜面と屈曲線及び作用面の傾斜がなければ側板両端の掛板が途中で折れてしまって不良品となるので先端折曲部の傾斜面と屈曲線及び作用面の傾斜が非常に重要である。
又、抑体の先端面の抑面の傾斜によって折り曲げられた側板両端の掛板を更に側板の裏面に重なるまで折り曲げるため、この抑面の傾斜がなければ側板両端の掛板が正確に折り曲がらず、引掛部が十分に引っ掛からず不良品となるので抑体の先端面の抑面の傾斜が非常に重要である。
更に、抑板の抑部にて未完成ケースの折曲板を底板に重なるまで確実に折り曲げていき、抑板の抑部と抑曲体の先端折曲部の傾斜面と抑体の先端面の抑面の傾斜との作用の順序が重要である。
【００１２】
【実施の形態】
以下本発明の一実施例を図面について説明する。
図中１はケース設置手段を具体化したケース設置具全体を示し、２は台板であって、長溝２ａを直列に間隔を設けて穿設している。
３は完成した角筒状のケース４と略同じ大きさの受台であって、長溝２ａ間の台板２上に設けている。
５は受台３より上方に突出する受止材であって、長溝２ａに平行する受台３の両側中央の台板２上に設けている。
６は細い桿材からなる受材であって、長溝２ａ側の受台３両側の台板２上に受台３より僅か突出すようそれぞれ二箇所に設けている。
【００１３】
７はケース折曲手段を具体化したケース折曲装置全体を示し、８は細長の角柱からなる固定体であって、二箇所の長溝３両側に平行となるよう間隔を設けて固設している。
９は長細の角柱からなり長手に沿って一角を切り取り案内溝９ａを設けた案内体であって、前記固定体８の内側に案内溝９ａを向かい合わせて下向きに設けている。
１０は螺条１０ａを設けた調整体であって、螺条１０ａが固定体８より突き出するよう固定体８を通して案内体９側面に固設し、調整ナット１１の締緩にて案内溝９ａの平行調整を可能としている。
【００１４】
１２は締結具であって、案内体９の二箇所に設け調整体１０にて調整後台板２との固設を可能としている。
１３は移動板であって、両端を案内溝９ａに挿入し台板２上のスライドを可能としている。
１４は薄板からなり略中央にて僅かに折り曲げて抑部１４ａを設けてくの字形とした抑板であって、移動板１３中央にスライド方向と平行に抑部１４ａを突設している。
【００１５】
１５は先端を平面に於いて一方に傾斜させた傾斜面１６ａを設けて鋭角の鈎状とした折曲部１６と本体１７とからなる折曲体であって、更に傾斜面１６ａの先端線１６ｂは上面１６ｃに垂直でなく、掛板３８の折曲線３８ａの傾斜に合わせて該折曲体１５の長手方向に向けて鋭角となるよう傾斜させ、先端線１６ｂの上端１６ｄと傾斜面１６ａの元端線１６ｅの下端１６ｆを結ぶ屈曲線１６ｇより折り曲げて先端線１６ｂの下端１６ｈに向けて作用面１６ｉを設け折曲部１６先端を形成し、案内体９の内側に傾斜面１６ａを内側として移動板１３上の二箇所に平行に設け、折曲部１６と反対側の本体１７端部に取付具１８にて折曲部１６先端部１６ｂが略抑部１４ａと同じ位置となるよう揺動可能としている。
１９は先端部を曲部として一方へ傾斜させて抑面１９ａとした抑体であって、抑面１９ａを向かい合わせて前記折曲体１５の本体１７内側に平行で抑部１９ａ先端が折曲部１６より内側の位置となるよう移動板１３上に固設している。
【００１６】
２０はコイルスプリングであって、折曲体１５の取付具１８寄りの上面に締結具２１にて対向する二本の折曲体１５を遊動にて常に引っ張るよう設けている。
２２は切溝２２ａを穿設した連結材であって、移動板１３中央に抑板１４を抑え、切溝２２ａを長溝２ａ側に突出して設けている。
装　２３はスライド手段を具体化したスライド置全体を示し２４は取付材であって、台板２の両側に設けた長溝２ａに一面が面一となるよう裏面に吊設している。
２５は切り込みによる揺動溝２５ａを一端に穿設した揺動板であって、一方の連結材２２の切溝２２ａに設けた支軸２６ａに揺動溝２５ａを挿入し、他端を一方の取付材２４に止軸２７にて連結し揺動可能としている。
【００１７】
２８は切り込みによる揺動溝２８ａを一端に穿設した揺動板であって、他方の連結材２２の切溝２２ａに設けた支軸２６ｂに揺動溝２８ａを挿入し、略中央を他方の取付材２４に止軸２９にて連結し揺動可能としている。
３０は連結板であって、一端を揺動板２５の略中央と連結軸３１にて、又他端を揺動板２８の他端と連結軸３２にて連結し、この連結軸３２の連結部Ｘの引押にて連結材２２を介して受台３を挟んで設けている移動板１３の逆方向への同時移動を可能としている。
【００１８】
使用に当たっては、捕獲用粘着剤を底板３３内面に張り付けその中央に誘引剤を設け、折り曲げにて長細状の角筒体とした未完成ケース３４をセット装置（図では省略している）にて受台３上に軽く抑えながらセットする。
このようにセットすると、未完成ケース３４の開口部には折り曲げ可能とした折曲線３５にて先端に切欠部３６ａを設けた折曲板３６を底板３３両端に設けているため、折曲板３６が受材６に当たって折曲線３５を支線として上方に押されて折り曲りセットされる。
そして揺動装置（図では省略している）によってＸ点即ち連結軸３２を引っ張ると、揺動板２８は止軸２９を支点として、揺動板２５は連結板３０を介して止軸２７を支点としてそれぞれ先端が内側に揺動する。
【００１９】
この揺動によって支軸２６ａ・２６ｂを押し、連結材２２を介して移動板１３を内側に案内溝９ａに沿ってスライドさせ、抑板１４・折曲体１５・抑体１９も同時に内側に向けて移動させる。
尚、移動板１３のスライドは案内体９の固定を緩め調整ナット１１の締緩にて平行調整を行なって案内体を固定して具合を調整する。
すると抑板１４の抑部１４ａが折り曲っている折曲板３６に当たって折曲板３６を更に未完成ケース３４内に押して折り曲げていく。
それと同時に折曲体１５の折曲部１６が未完成ケース３４の開口部の側板３９両側に折り曲げ可能とし傾斜する折曲線３７にて引掛部３８ａを先端に設けた掛板３８の引掛部３８ａの上部に傾斜面１６ａ或は屈曲線１６ｇが当たり、順次当たりを上部より下部へ移行させて引掛部３８ａを内側へと傾斜する傾斜面１６ａにて折り曲げていく。
【００２０】
そして掛板３８がある程度折り曲げられると傾斜面１６ａが折曲線３７に当たって押され、折曲体１５は取付具１８を支点として遊動するコイルスプリング２０に逆らって開くと共に、この折曲体１５が開く間に未完成ケース３４の折曲線３７と同じ傾斜となっている作用面１６ｉが折曲線３７の上部より順次下部に当たりを移行しながら折曲線３７の折り曲げ状態の修正と仕上げをして折曲部１６が作用しない状態となる。
それでもまだ揺動板２５・２８は揺動しているため移動板１３は内側にスライドし、折曲板３６は抑部１４ａによって底板３３に重なる状態まで折り曲げられると共に、折曲体１５が作用しなくなった後は抑体１９の抑面１９ａが、折り曲げられている掛板３８を押して未完成ケース３４の側板３９裏面に重なるように斜めに折り曲げる。
【００２１】
このようにして未完成ケース３４の折曲板３６と掛板３８の折り曲げが終ると、揺動装置によって揺動板２５・２８の揺動が逆になり、移動板１３・抑板１４・折曲体１５・抑え体１９・連結材２２全てが元の状態に戻る。
このように元に戻る時、折曲体１５は遊動するコイルスプリング２０によって引き戻されて始めの状態となる。
このようにして折り曲げが終って全てが元の位置に戻ると揺動装置は停止し、折り曲げた掛板３８の引掛部３８ａが折曲板３６の切欠部３６ａに引っ掛かり完成したケース４となり、セット装置にて挟持され受台３上より取り除かれ次の未完成ケース３４がセットされる。
【００２２】
【発明の効果】
上述の如く本発明の請求項１に於いては、簡単な構造で剥離紙を用いないで粘着剤と誘引剤を既に設けている未完成ケースの両端部の折曲板と掛板の折り曲げを一作動で行なうため、手間がかからず能率よく容易に成形することが出来る。請求項２に於いては、掛板の折り曲げが折曲体が開い傾斜面が作用しなくなる迄の間に、垂直又は傾斜にかかわらず傾斜面と屈曲線及び作用面の当たりが上部から下部への移行によって確実に折り曲げをすることが出来、掛板の途中での折れや折り曲げの不具合を無くして不良品の発生を防いでいる。
請求項３に於いては、折り曲げられた掛板を側板の裏面に重なるまで途中での折り曲がりや破損もなく確実に最後まで折り曲げることが出来、不良品発生を防いでいる。
このように未完成ケースの両端の処理を能率よく行なうため生産性が向上し経済的であるなど多くの特長があり非常に優れた発明である。
【図面の簡単な説明】
【図１】本発明実施例の正面図である
【図２】本発明実施例の平面図である
【図３】本発明実施例折曲体の正面図である
【図４】本発明実施例折曲体の平面図である
【図５】本発明実施例折曲体の左側面図である
【図６】本発明実施例抑体の正面図である
【図７】本発明実施例抑体の平面図である
【図８】本発明実施例作用状態の一部分の断面図である
【図９】本発明実施例作用状態の一部分の平面図である
【図１０】本発明実施例にて成形する未完成ケースの正面図である
【図１１】本発明実施例にて成形する未完成ケースの平面図である
【図１２】本発明実施例にて成形した完成ケース一部を破断した部分図である
【符号の説明】
１　　ケース設置具
２　　台板
２ａ　長溝
３　　受台
５　　受止材
６　　受材
７　　ケース折曲装置
８　　固定体
９　　案内体
９ａ　案内溝
１０　　調整体
１０ａ　螺条
１１　　調整ナット
１３　　移動板
１４　　抑板
１４ａ　抑部
１５　　折曲体
１６　　折曲部
１６ａ　傾斜面
１６ｂ　先端線
１６ｃ　上面
１６ｄ　上端
１６ｅ　元端
１６ｆ　下端
１６ｇ　屈曲線
１６ｈ　下端
１６ｉ　作用面
１７　　本体
１８　　取付具
１９　　抑体
１９ａ　抑面
２０　　コイルスプリング
２１　　締結具
２２　　連結材
２３　　スライド装置
２４　　取付材
２５　　揺動板
２８　　揺動板
３０　　連結板
【図１】
2004042592.tif 000003
【図２】
2004042592.tif 000004
【図３】
2004042592.tif 000005
【図４】
2004042592.tif 000006
【図５】
2004042592.tif 000007
【図６】
2004042592.tif 000008
【図７】
2004042592.tif 000009
【図８】
2004042592.tif 000010
【図９】
2004042592.tif 000011
【図１０】
2004042592.tif 000012
【図１１】
2004042592.tif 000013
【図１２】
2004042592.tif 000014